(57)【要約】ある実施形態によれば、ユーザ装置（810）は、セルラネットワークにおける使用のために提供される。ユーザ装置（810）は、送受信機（910）、プロセッサ（920）、及びメモリ（930）を備えうる。ユーザ装置（810）は、復調参照信号（ＤＭＲＳ）構成を取得するように構成されうる。ＤＭＲＳ構成から位相雑音トラッキング参照信号（ＰＮＴ−ＲＳ）へのマッピングが判定される。ＤＭＲＳ構成を用いてチャネル推定が実行される。マッピング及びチャネル推定を用いて、ＰＮＴ−ＲＳに基づいて位相雑音の推定及び補償が実行される。
2019506066.tif 000002
【特許請求の範囲】
【請求項１】
セルラネットワークで使用されるユーザ装置（810）であって、前記ユーザ装置（810）は、送受信機（910）、プロセッサ（920）、及びメモリ（930）を備え、前記ユーザ装置（810）は、
復調参照信号（ＤＭＲＳ）構成を取得し、
前記ＤＭＲＳ構成からの位相雑音トラッキング参照信号（ＰＮＴ−ＲＳ）へのマッピングを判定し、
前記ＤＭＲＳ構成を用いてチャネル推定を実行し、
前記マッピング及び前記チャネル推定を用いて、前記ＰＮＴ−ＲＳに基づいて位相雑音の推定及び補償を実行するように構成される、ユーザ装置。
【請求項２】
請求項１に記載のユーザ装置（810）であって、前記マッピングを判定することは、前記ＰＴＮ−ＲＳを特定のＤＭＲＳポートにマッピングすることを含む、ユーザ装置。
【請求項３】
請求項１又は２に記載のユーザ装置（810）であって、前記位相雑音の推定及び補償は、ＰＮＴ−ＲＳ受信機設定に基づいており、当該設定は前記マッピング及び前記チャネル推定に基づいている、ユーザ装置。
【請求項４】
請求項１から３のいずれか１項に記載のユーザ装置（810）であって、前記ＤＭＲＳ構成は、前記セルラネットワークによって送信されたＤＭＲＳに基づいて取得される、ユーザ装置。
【請求項５】
請求項１から４のいずれか１項に記載のユーザ装置（810）であって、前記チャネル推定は、前記ＤＭＲＳ構成を用いて計算される、ユーザ装置。
【請求項６】
請求項１から５のいずれか１項に記載のユーザ装置（810）であって、前記ＤＭＲＳは、前記ＰＴＮ−ＲＳよりも、サブフレームごとに多くのサブキャリアを占有し、前記ＰＴＮ−ＲＳは、前記ＤＭＲＳよりも、サブフレームごとに多くのＯＦＤＭシンボルを占有する、ユーザ装置。
【請求項７】
請求項１から６のいずれか１項に記載のユーザ装置（810）であって、前記ＤＭＲＳは、複数の他のサブキャリアによって分離された複数のサブキャリアを占有し、前記ＰＴＮ−ＲＳは、複数の連続するＯＦＤＭシンボルを占有する、ユーザ装置。
【請求項８】
請求項７に記載のユーザ装置（810）であって、前記ＤＭＲＳは、隣接するサブキャリアの２つ以上のセットを占有し、隣接するサブキャリアの各セットは、複数の他のサブキャリアによって分離され、前記ＰＴＮ−ＲＳは、前記ＤＭＲＳによって占有されていない複数の連続するＯＦＤＭシンボルを占有する、ユーザ装置。
【請求項９】
請求項１から８のいずれか１項に記載のユーザ装置（810）であって、サブフレーム内のＯＦＤＭシンボルの数は、異なる値に設定可能なパラメータである、ユーザ装置。
【請求項１０】
請求項１から９のいずれか１項に記載のユーザ装置（810）であって、前記参照信号は、物理データチャネル（ＰＤＣＨ）送信に組み込まれる、ユーザ装置。
【請求項１１】
請求項１０に記載のユーザ装置（810）であって、前記ＰＤＣＨ送信は、サブフレームアグリゲーションを用いて複数のサブフレームに及ぶ、ユーザ装置。
【請求項１２】
請求項１から１１のいずれか１項に記載のユーザ装置（810）であって、前記送受信機は、マルチアンテナ受信機を含む、ユーザ装置。
【請求項１３】
請求項１から１２のいずれか１項に記載のユーザ装置（810）であって、前記ユーザ装置は更に、
ＤＭＲＳ構成を送信し、
ＰＴＮ−ＲＳを前記セルラネットワークへ送信するよう構成され、前記送信されたＤＭＲＳ構成と前記送信されたＰＮＴ−ＲＳとの間にマッピングが存在する、ユーザ装置。
【請求項１４】
請求項１３に記載のユーザ装置（810）であって、前記ユーザ装置によって送信された前記ＤＭＲＳ構成と、前記ユーザ装置によって送信された前記ＰＴＮ−ＲＳとの間の前記マッピングは、位相雑音の推定及び補償を可能にする、ユーザ装置。
【請求項１５】
請求項１３に記載のユーザ装置（810）であって、前記送受信機は、マルチアンテナ送信機を含む、ユーザ装置。
【請求項１６】
セルラネットワークで使用されるユーザ装置（810）による方法であって、前記方法は、
復調参照信号（ＤＭＲＳ）構成を取得することと、
前記ＤＭＲＳ構成からの位相雑音トラッキング参照信号（ＰＮＴ−ＲＳ）へのマッピングを判定することと、
前記ＤＭＲＳ構成を用いてチャネル推定を実行することと、
前記マッピング及び前記チャネル推定を用いて、前記ＰＮＴ−ＲＳに基づいて位相雑音の推定及び補償を実行することと、を含む方法。
【請求項１７】
請求項１６に記載の方法であって、前記マッピングを判定することは、前記ＰＴＮ−ＲＳを特定のＤＭＲＳポートにマッピングすることを含む、方法。
【請求項１８】
請求項１６又は１７に記載の方法であって、前記位相雑音の推定及び補償は、ＰＮＴ−ＲＳ受信機設定に基づいており、当該設定は前記マッピング及び前記チャネル推定に基づいている、方法。
【請求項１９】
請求項１６から１８のいずれか１項に記載の方法であって、前記ＤＭＲＳ構成は、前記セルラネットワークによって送信されたＤＭＲＳに基づいて取得される、方法。
【請求項２０】
請求項１６から１９のいずれか１項に記載の方法であって、前記チャネル推定は、前記ＤＭＲＳ構成を用いて計算される、方法。
【請求項２１】
請求項１６から２０のいずれか１項に記載の方法であって、前記ＤＭＲＳは、前記ＰＴＮ−ＲＳよりも、サブフレームごとに多くのサブキャリアを占有し、前記ＰＴＮ−ＲＳは、前記ＤＭＲＳよりも、サブフレームごとに多くのＯＦＤＭシンボルを占有する、方法。
【請求項２２】
請求項１６から２１のいずれか１項に記載の方法であって、前記ＤＭＲＳは、複数の他のサブキャリアによって分離された複数のサブキャリアを占有し、前記ＰＴＮ−ＲＳは、複数の連続するＯＦＤＭシンボルを占有する、方法。
【請求項２３】
請求項２２に記載の方法であって、前記ＤＭＲＳは、隣接するサブキャリアの２つ以上のセットを占有し、隣接するサブキャリアの各セットは、複数の他のサブキャリアによって分離され、前記ＰＴＮ−ＲＳは、前記ＤＭＲＳによって占有されていない複数の連続するＯＦＤＭシンボルを占有する、方法。
【請求項２４】
請求項１６から２３のいずれか１項に記載の方法であって、サブフレーム内のＯＦＤＭシンボルの数は、異なる値に設定可能なパラメータである、方法。
【請求項２５】
請求項１６から２４のいずれか１項に記載の方法であって、前記参照信号は、物理データチャネル（ＰＤＣＨ）送信に組み込まれる、方法。
【請求項２６】
請求項２５に記載の方法であって、前記ＰＤＣＨ送信は、サブフレームアグリゲーションを用いて複数のサブフレームに及ぶ、方法。
【請求項２７】
請求項１６から２６のいずれか１項に記載の方法であって、前記ユーザ装置（810）は、マルチアンテナ受信機を含む、方法。
【請求項２８】
請求項１６から２７のいずれか１項に記載の方法であって、
ＤＭＲＳ構成を送信することと、
ＰＴＮ−ＲＳを前記セルラネットワークへ送信することと、を含み、前記送信されたＤＭＲＳ構成と前記送信されたＰＮＴ−ＲＳとの間にマッピングが存在する、方法。
【請求項２９】
請求項２８に記載の方法であって、前記ユーザ装置（810）によって送信された前記ＤＭＲＳ構成と、前記ユーザ装置（810）によって送信された前記ＰＴＮ−ＲＳとの間の前記マッピングは、位相雑音の推定及び補償を可能にする、方法。
【請求項３０】
請求項２８に記載の方法であって、前記ユーザ装置（810）は、マルチアンテナ送信機を含む、方法。
【請求項３１】
セルラネットワークで使用されるユーザ装置（810）であって、前記ユーザ装置（810）は、送受信機（910）、プロセッサ（920）、及びメモリ（930）を備え、前記ユーザ装置（810）は、
復調参照信号（ＤＭＲＳ）構成であって、ＰＮＴ−ＲＳ送信へのマッピングと関連付けられた前記ＤＭＲＳ構成を送出し、
前記マッピングに従ってＰＮＴ−ＲＳを受信機へ送信するように構成される、ユーザ装置。
【請求項３２】
請求項３１に記載のユーザ装置（810）であって、前記ＰＴＮ−ＲＳへの前記マッピングは、特定のＤＭＲＳポートへの前記ＰＴＮ−ＲＳのマッピングを含む、ユーザ装置。
【請求項３３】
請求項３１又は３２に記載のユーザ装置（810）であって、前記送受信機（910）は、マルチアンテナ受信機を含む、ユーザ装置。
【請求項３４】
請求項３１から３３のいずれか１項に記載のユーザ装置（810）であって、前記ＤＭＲＳ構成と、ネットワークノードによって送信された前記ＰＴＮ−ＲＳとの間の前記マッピングは、位相雑音の推定及び補償を可能にする、ユーザ装置。
【請求項３５】
請求項３１から３４のいずれか１項に記載のユーザ装置（810）であって、前記送受信機（910）は、マルチアンテナ受信機を含む、ユーザ装置。
【請求項３６】
セルラネットワークにおけるユーザ装置（810）による方法であって、前記方法は、
復調参照信号（ＤＭＲＳ）構成であって、ＰＮＴ−ＲＳ送信へのマッピングと関連付けられた前記ＤＭＲＳ構成を送出することと、
前記マッピングに従ってＰＮＴ−ＲＳを受信機へ送信することと、を含む方法。
【請求項３７】
請求項３６に記載の方法であって、前記ＰＴＮ−ＲＳへの前記マッピングは、特定のＤＭＲＳポートへの前記ＰＴＮ−ＲＳのマッピングを含む、方法。
【請求項３８】
請求項３６又は３７に記載の方法であって、前記ユーザ装置（810）は、マルチアンテナ受信機を含む、方法。
【請求項３９】
請求項３６から３８のいずれか１項に記載の方法であって、前記ＤＭＲＳ構成と、前記ユーザ装置（810）によって送信された前記ＰＴＮ−ＲＳとの間の前記マッピングは、位相雑音の推定及び補償を可能にする、方法。
【請求項４０】
請求項３６から３９のいずれか１項に記載の方法であって、前記ユーザ装置（810）は、マルチアンテナ送信機を含む、方法。
【請求項４１】
セルラネットワークで使用されるネットワークノード（815）であって、前記ネットワークノード（815）は、送受信機（1010）、プロセッサ（1020）、及びメモリ（1030）を備え、前記ネットワークノード（815）は、
復調参照信号（ＤＭＲＳ）構成を取得し、
前記ＤＭＲＳ構成からの位相雑音トラッキング参照信号（ＰＮＴ−ＲＳ）へのマッピングを判定し、
前記ＤＭＲＳ構成を用いてチャネル推定を実行し、
前記マッピング及び前記チャネル推定を用いて、前記ＰＮＴ−ＲＳに基づいて位相雑音の推定及び補償を実行するように構成される、ネットワークノード。
【請求項４２】
請求項４１に記載のネットワークノード（815）であって、前記マッピングを判定することは、前記ＰＴＮ−ＲＳを特定のＤＭＲＳポートにマッピングすることを含む、ネットワークノード。
【請求項４３】
請求項４１又は４２に記載のネットワークノード（815）であって、前記位相雑音の推定及び補償は、ＰＮＴ−ＲＳ受信機設定に基づいており、当該設定は前記マッピング及び前記チャネル推定に基づいている、ネットワークノード。
【請求項４４】
請求項４１から４３のいずれか１項に記載のネットワークノード（815）であって、前記ＤＭＲＳ構成は、前記セルラネットワークによって送信されたＤＭＲＳに基づいて取得される、ネットワークノード。
【請求項４５】
請求項４１から４４のいずれか１項に記載のネットワークノード（815）であって、前記チャネル推定は、前記ＤＭＲＳ構成を用いて計算される、ネットワークノード。
【請求項４６】
請求項４１から４５のいずれか１項に記載のネットワークノード（815）であって、前記ＤＭＲＳは、前記ＰＴＮ−ＲＳよりも、サブフレームごとに多くのサブキャリアを占有し、前記ＰＴＮ−ＲＳは、前記ＤＭＲＳよりも、サブフレームごとに多くのＯＦＤＭシンボルを占有する、ネットワークノード。
【請求項４７】
請求項４１から４６のいずれか１項に記載のネットワークノード（815）であって、前記ＤＭＲＳは、複数の他のサブキャリアによって分離された複数のサブキャリアを占有し、前記ＰＴＮ−ＲＳは、複数の連続するＯＦＤＭシンボルを占有する、ネットワークノード。
【請求項４８】
請求項４７に記載のネットワークノード（815）であって、前記ＤＭＲＳは、隣接するサブキャリアの２つ以上のセットを占有し、隣接するサブキャリアの各セットは、複数の他のサブキャリアによって分離され、前記ＰＴＮ−ＲＳは、前記ＤＭＲＳによって占有されていない複数の連続するＯＦＤＭシンボルを占有する、ネットワークノード。
【請求項４９】
請求項４１から４８のいずれか１項に記載のネットワークノード（815）であって、サブフレーム内のＯＦＤＭシンボルの数は、異なる値に設定可能なパラメータである、ネットワークノード。
【請求項５０】
請求項４１から４９のいずれか１項に記載のネットワークノード（815）であって、前記参照信号は、物理データチャネル（ＰＤＣＨ）送信に組み込まれる、ネットワークノード。
【請求項５１】
請求項５０に記載のネットワークノード（815）であって、前記ＰＤＣＨ送信は、サブフレームアグリゲーションを用いて複数のサブフレームに及ぶ、ネットワークノード。
【請求項５２】
請求項４１から５１のいずれか１項に記載のネットワークノード（815）であって、前記送受信機（1010）は、マルチアンテナ受信機を含む、ネットワークノード。
【請求項５３】
請求項４１から５２のいずれか１項に記載のネットワークノード（815）であって、前記ネットワークノード（815）は更に、
ＤＭＲＳ構成を送信し、
ＰＴＮ−ＲＳを前記セルラネットワークへ送信するよう構成され、前記送信されたＤＭＲＳ構成と前記送信されたＰＮＴ−ＲＳとの間にマッピングが存在する、ネットワークノード。
【請求項５４】
請求項５３に記載のネットワークノード（815）であって、前記ネットワークノードによって送信された前記ＤＭＲＳ構成と、前記ネットワークノード（815）によって送信された前記ＰＴＮ−ＲＳとの間の前記マッピングは、位相雑音の推定及び補償を可能にする、ネットワークノード。
【請求項５５】
請求項５３に記載のネットワークノード（815）であって、前記送受信機は、マルチアンテナ送信機を含む、ネットワークノード。
【請求項５６】
セルラネットワークで使用されるユーザ装置（810）による方法であって、前記方法は、
復調参照信号（ＤＭＲＳ）構成を取得することと、
前記ＤＭＲＳ構成からの位相雑音トラッキング参照信号（ＰＮＴ−ＲＳ）へのマッピングを判定することと、
前記ＤＭＲＳ構成を用いてチャネル推定を実行することと、
前記マッピング及び前記チャネル推定を用いて、前記ＰＮＴ−ＲＳに基づいて位相雑音の推定及び補償を実行することと、を含む方法。
【請求項５７】
請求項５６に記載の方法であって、前記マッピングを判定することは、前記ＰＴＮ−ＲＳを特定のＤＭＲＳポートにマッピングすることを含む、方法。
【請求項５８】
請求項５６又は５７に記載の方法であって、前記位相雑音の推定及び補償は、ＰＮＴ−ＲＳ受信機設定に基づいており、当該設定は前記マッピング及び前記チャネル推定に基づいている、方法。
【請求項５９】
請求項５６から５８のいずれか１項に記載の方法であって、前記ＤＭＲＳ構成は、前記セルラネットワークによって送信されたＤＭＲＳに基づいて取得される、方法。
【請求項６０】
請求項５６から５９のいずれか１項に記載の方法であって、前記チャネル推定は、前記ＤＭＲＳ構成を用いて計算される、方法。
【請求項６１】
請求項５６から６０のいずれか１項に記載の方法であって、前記ＤＭＲＳは、前記ＰＴＮ−ＲＳよりも、サブフレームごとに多くのサブキャリアを占有し、前記ＰＴＮ−ＲＳは、前記ＤＭＲＳよりも、サブフレームごとに多くのＯＦＤＭシンボルを占有する、方法。
【請求項６２】
請求項５６から６１のいずれか１項に記載の方法であって、前記ＤＭＲＳは、複数の他のサブキャリアによって分離された複数のサブキャリアを占有し、前記ＰＴＮ−ＲＳは、複数の連続するＯＦＤＭシンボルを占有する、方法。
【請求項６３】
請求項６２に記載の方法であって、前記ＤＭＲＳは、隣接するサブキャリアの２つ以上のセットを占有し、隣接するサブキャリアの各セットは、複数の他のサブキャリアによって分離され、前記ＰＴＮ−ＲＳは、前記ＤＭＲＳによって占有されていない複数の連続するＯＦＤＭシンボルを占有する、方法。
【請求項６４】
請求項５６から６３のいずれか１項に記載の方法であって、サブフレーム内のＯＦＤＭシンボルの数は、異なる値に設定可能なパラメータである、方法。
【請求項６５】
請求項５６から６４のいずれか１項に記載の方法であって、前記参照信号は、物理データチャネル（ＰＤＣＨ）送信に組み込まれる、方法。
【請求項６６】
請求項６５に記載の方法であって、前記ＰＤＣＨ送信は、サブフレームアグリゲーションを用いて複数のサブフレームに及ぶ、方法。
【請求項６７】
請求項５６又は６６に記載の方法であって、前記ユーザ装置（810）は、マルチアンテナ受信機を含む、方法。
【請求項６８】
請求項５６から６７のいずれか１項に記載の方法であって、
ＤＭＲＳ構成を送信することと、
ＰＴＮ−ＲＳを前記セルラネットワークへ送信することと、を含み、前記送信されたＤＭＲＳ構成と前記送信されたＰＮＴ−ＲＳとの間にマッピングが存在する、方法。
【請求項６９】
請求項６８に記載の方法であって、前記ユーザ装置によって送信された前記ＤＭＲＳ構成と、前記ユーザ装置（810）によって送信された前記ＰＴＮ−ＲＳとの間の前記マッピングは、位相雑音の推定及び補償を可能にする、方法。
【請求項７０】
請求項６８に記載の方法であって、前記ユーザ装置（810）は、マルチアンテナ送信機を含む、方法。
【請求項７１】
セルラネットワークで使用されるネットワークノード（815）であって、前記ネットワークノード（815）は、送受信機（1010）、プロセッサ（1020）、及びメモリ（1030）を備え、前記ネットワークノード（815）は、
復調参照信号（ＤＭＲＳ）構成であって、ＰＮＴ−ＲＳ送信へのマッピングと関連付けられた前記ＤＭＲＳ構成を送出し、
前記マッピングに従ってＰＮＴ−ＲＳを受信機へ送信するように構成される、ネットワークノード。
【請求項７２】
請求項７１に記載のネットワークノード（815）であって、前記ＰＴＮ−ＲＳへの前記マッピングは、特定のＤＭＲＳポートへの前記ＰＴＮ−ＲＳのマッピングを含む、ネットワークノード。
【請求項７３】
請求項７１又は７２に記載のネットワークノード（815）であって、前記送受信機（1010）は、マルチアンテナ受信機を含む、ネットワークノード。
【請求項７４】
請求項７１から７３のいずれか１項に記載のネットワークノード（815）であって、前記ＤＭＲＳ構成と、ネットワークノードによって送信された前記ＰＴＮ−ＲＳとの間の前記マッピングは、位相雑音の推定及び補償を可能にする、ネットワークノード。
【請求項７５】
請求項７１から７４のいずれか１項に記載のネットワークノード（815）であって、前記送受信機（1010）は、マルチアンテナ送信機を含む、ネットワークノード。
【請求項７６】
セルラネットワークにおけるネットワークノード（815）による方法であって、前記方法は、
復調参照信号（ＤＭＲＳ）構成であって、ＰＮＴ−ＲＳ送信へのマッピングと関連付けられた前記ＤＭＲＳ構成を送出することと、
前記マッピングに従ってＰＮＴ−ＲＳを受信機へ送信することと、を含む方法。
【請求項７７】
請求項７６に記載の方法であって、前記ＰＴＮ−ＲＳへの前記マッピングは、特定のＤＭＲＳポートへの前記ＰＴＮ−ＲＳのマッピングを含む、方法。
【請求項７８】
請求項７６又は７７に記載の方法であって、前記ネットワークノード（815）は、マルチアンテナ受信機を含む、方法。
【請求項７９】
請求項７６から７８のいずれか１項に記載の方法であって、前記ＤＭＲＳ構成と、前記ネットワークノード（815）によって送信された前記ＰＴＮ−ＲＳとの間の前記マッピングは、位相雑音の推定及び補償を可能にする、方法。
【請求項８０】
請求項７６から７９のいずれか１項に記載の方法であって、前記ネットワークノード（815）は、マルチアンテナ送信機を含む、方法。
【請求項８１】
セルラネットワークで使用される受信機（810,815）による方法であって、前記方法は、
復調参照信号（ＤＭＲＳ）構成を取得することと、
ＤＭＲＳ構成からのＰＮＴ−ＲＳ送信へのマッピングを判定することと、
前記ＤＭＲＳ構成を用いてチャネル推定を実行することと、
前記マッピング及び前記チャネル推定を用いて、前記ＰＮＴ−ＲＳに基づいて位相雑音の推定及び補償を実行することと、を含む方法。
【請求項８２】
請求項８１に記載の方法であって、前記受信機（810,815）はユーザ装置（810）を含む、方法。
【請求項８３】
請求項８１に記載の方法であって、前記受信機（810,815）は基地局（815）を含む、方法。
【請求項８４】
請求項８１から８３のいずれか１項に記載の方法であって、前記チャネル推定からＰＮＴ−ＲＳ受信機重みを判定することを更に含む、方法。
【請求項８５】
請求項８１から８４のいずれか１項に記載の方法であって、前記ＰＮＴ−ＲＳ信号は、特定のＤＭＲＳポートにマッピングされる、方法。
【請求項８６】
請求項８１から８５のいずれか１項に記載の方法であって、データシンボルを含む送信を受信することを更に含み、
前記ＰＴＮ−ＲＳ受信機設定に基づいて位相雑音の推定及び補償を実行することは、前記受信された送信に含まれる前記データシンボルに対して位相雑音の推定及び補償を実行することを含む、方法。
【請求項８７】
請求項８６に記載の方法であって、前記ＰＴＮ−ＲＳ信号は、前記受信機と関連付けられた他のレイヤと関連付けられた他のデータによる干渉を受け、前記方法は更に、
前記他のレイヤについてのＤＭＲＳからの前記既知のチャネルに基づいて、他のレイヤからの干渉を推定することを含む、方法。
【請求項８８】
請求項８７に記載の方法であって、前記他のレイヤからの前記干渉を推定することは、干渉除去を実行することを含む、方法。
【請求項８９】
請求項８７に記載の方法であって、前記ＰＴＮ−ＲＳは、他の受信機と関連付けられた、同時スケジューリングされたＰＮＴ−ＲＳによる干渉を受け、前記方法は更に、
前記同時スケジューリングされたＰＮＴ−ＲＳと、前記同時スケジューリングされたＰＮＴ−ＲＳについてのＤＭＲＳとを取得することと、
前記同時スケジューリングされたＰＮＴ−ＲＳに対して干渉除去を実行することと、を含む方法。
【請求項９０】
セルラネットワークで使用される受信機（810,815）であって、前記受信機（810,815）は、送受信機（910,1010）、プロセッサ（920,1020）、及びメモリ（930,1030）を備え、前記受信機（810,815）は、
復調参照信号（ＤＭＲＳ）構成を取得し、
ＤＭＲＳ構成からのＰＮＴ−ＲＳ送信へのマッピングを判定し、
前記ＤＭＲＳ構成を用いてチャネル推定を実行し、
前記マッピング及び前記チャネル推定を用いて、前記ＰＮＴ−ＲＳに基づいて位相雑音の推定及び補償を実行するように構成される、受信機。
【請求項９１】
請求項９０に記載の受信機（810,815）であって、前記受信機（810,815）はユーザ装置（810）を含む、受信機。
【請求項９２】
請求項９０に記載の受信機（810,815）であって、前記受信機（810,815）は基地局（815）を含む、受信機。
【請求項９３】
請求項９０から９２のいずれか１項に記載の受信機（810,815）であって、前記チャネル推定からＰＮＴ−ＲＳ受信機重みを判定するように更に構成される、受信機。
【請求項９４】
請求項９０から９３のいずれか１項に記載の受信機（810,815）であって、前記ＰＮＴ−ＲＳ信号は、特定のＤＭＲＳポートにマッピングされる、受信機。
【請求項９５】
請求項９０から９４のいずれか１項に記載の受信機（810,815）であって、データシンボルを含む送信を受信することを更に含み、
前記ＰＴＮ−ＲＳ受信機設定に基づいて位相雑音の推定及び補償を実行することは、前記受信された送信に含まれる前記データシンボルに対して位相雑音の推定及び補償を実行することを含む、受信機。
【請求項９６】
請求項９５に記載の受信機（810,815）であって、前記ＰＴＮ−ＲＳ信号は、前記受信機と関連付けられた他のレイヤと関連付けられた他のデータによる干渉を受け、前記受信機は、前記他のレイヤについてのＤＭＲＳからの前記既知のチャネルに基づいて、他のレイヤからの干渉を推定するように更に構成される、受信機。
【請求項９７】
請求項９６に記載の受信機（810,815）であって、前記他のレイヤからの前記干渉を推定することは、干渉除去を実行することを含む、受信機。
【請求項９８】
請求項９６に記載の受信機（810,815）であって、前記ＰＴＮ−ＲＳは、他の受信機と関連付けられた、同時スケジューリングされたＰＮＴ−ＲＳによる干渉を受け、前記受信機は更に、
前記同時スケジューリングされたＰＮＴ−ＲＳと、前記同時スケジューリングされたＰＮＴ−ＲＳについてのＤＭＲＳとを取得し、
前記同時スケジューリングされたＰＮＴ−ＲＳに対して干渉除去を実行するように構成される、受信機。
【請求項９９】
送信機（810,815）による方法であって、前記方法は、
復調参照信号（ＤＭＲＳ）構成であって、ＰＮＴ−ＲＳ送信へのマッピングと関連付けられた前記ＤＭＲＳ構成を送出し、
前記マッピングに従ってＰＮＴ−ＲＳを受信機へ送信することと、を含む方法。
【請求項１００】
請求項９９に記載の方法であって、前記送信機（810,815）はユーザ装置（810）を含む、方法。
【請求項１０１】
請求項９９に記載の方法であって、前記送信機（810,815）は基地局（815）を含む、方法。
【請求項１０２】
請求項９９から１０１のいずれか１項に記載の方法であって、前記ＰＮＴ−ＲＳ信号は、特定のＤＭＲＳポートにマッピングされる、方法。
【請求項１０３】
請求項１０２に記載の方法であって、前記特定のＤＭＲＳポートは、最初のＤＭＲＳポートを含む、方法。
【請求項１０４】
セルラネットワークで使用される送信機（810,815）であって、前記送信機（810,815）は、送受信機（910,1010）、プロセッサ（920,1020）、及びメモリ（930,1030）を備え、前記送信機（810,815）は、
復調参照信号（ＤＭＲＳ）構成であって、ＰＮＴ−ＲＳ送信へのマッピングと関連付けられた前記ＤＭＲＳ構成を送出し、
前記マッピングに従ってＰＮＴ−ＲＳを受信機へ送信するように構成される、送信機。
【請求項１０５】
請求項１０４に記載の送信機（810,815）であって、前記送信機（810,815）はユーザ装置（810）を含む、送信機。
【請求項１０６】
請求項１０４に記載の送信機（810,815）であって、前記送信機（810,815）は基地局（815）を含む、送信機。
【請求項１０７】
請求項１０４から１０６のいずれか１項に記載の送信機（810,815）であって、前記ＰＮＴ−ＲＳ信号は、特定のＤＭＲＳポートにマッピングされる、送信機。
【請求項１０８】
請求項１０７に記載の送信機（810,815）であって、前記特定のＤＭＲＳポートは、最初のＤＭＲＳポートを含む、送信機。
【発明の詳細な説明】
【技術分野】
【０００１】
本願は、「Systems and Methods for Mapping DMRS Configuration to Phase Noise Tracking Pilot for Improved Receiver Performance」との表題で２０１７年２月９日に出願された米国仮出願番号62/292,921の優先権を主張し、その開示が本明細書において援用される。
【０００２】
本開示は、概して無線通信に関し、より具体的には、受信機性能の改善のための、位相雑音トラッキングパイロットへのＤＭＲＳ構成のマッピングに関する。
【背景技術】
【０００３】
送信機と受信機との間の通信は、一般に、メッセージの送信が確実に受信されうる前に、時間及び／又は周波数において何らかの形式の同期を必要とする。ロングタームエボリューション（ＬＴＥ）のようなセルラシステムにおいて、基地局は、当該システムにアクセスする無線デバイスが初期セルサーチ、即ち、搬送波周波数、時間基準インスタント、及びセル識別子を見つけることを含む同期手順を経ること、を実行可能な時間に、狭帯域の同期信号を定期的にブロードキャストする。初期セルサーチを実行し、セル識別子を特定したＬＴＥ無線デバイスは、その後、システム帯域幅にわたって送信され、かつ、時間的に同期信号よりも頻繁に送信される、セル固有参照信号で精密同期を行うことによって、下りリンクにおける初期同期を完了できる。無線デバイスは、上りリンク時間同期が確立され、かつ、デバイスと基地局との間の通信が開始されうるランダムアクセス手順を介してネットワークに接続する送信機側及び受信機側の両方における発振器のドリフトに起因して、無線デバイスは、基地局との通信中に下りリンクの精密周波数同期を定期的に実行する必要がある。
【０００４】
セル固有参照信号（ＣＲＳ）無しのＮＸ用のリーン・フレーム構成設計が提案されており、当該設計では、精密同期と下りリンク（ＤＬ）物理データチャネル（ＰＤＣＨ）の復調とに必要となる代替の参照信号が、ＰＤＣＨ送信に埋め込まれる。図１は、ＰＤＳＨと、割り当て又はグラントを搬送する、関連するＤＬ物理下りリンク制御チャネル（ＰＤＣＣＨ）とのＤＬ送信を示している。具体的には、図１は、サブフレームの最初の直交周波数分割多重（ＯＦＤＭ）シンボルが、ＰＤＣＣＨを含み、次のＯＦＤＭシンボルが、ＰＤＣＨを含むことを示している。
【０００５】
図１に更に示されるように、ＰＤＣＨの送信は、サブフレームアグリゲーションの場合の複数のサブフレームに及んでもよいし、又は１サブフレームに限定されてもよい。ユーザ装置（ＵＥ）とも称されうる無線デバイスは、ＵＥ宛てのＰＤＣＣＨを検出し、スケジューリング情報からＰＤＣＨ関連情報を抽出する。ＵＥは、特定の１ユーザへのＰＤＣＣＨがＯＦＤＭサブキャリアのサブセットで搬送される場合、他のＵＥへのＰＤＣＣＨ送信を認識していない。ＰＤＣＣＨのマッピングは、分散型でも局所型でもよく、図１には後者が図示されている。サブフレーム内のＯＦＤＭシンボルの数は、システム設計パラメータであり、図示された例で使用される４よりも非常に多くなりうる。
【０００６】
図示された例では、ＰＤＣＣＨ及びＰＤＣＨは、それぞれ独自の復調用の参照信号を有し、当該信号は主として復調参照信号（ＤＭＲＳ）を指すが、本明細書で説明するように他のタイプの参照信号を指す場合もある。ＤＭＲＳは、受信機が早期にチャネル推定を実行でき、それにより受信機の処理時間を低減できるように、サブフレームで早期に送信される必要がある。
【０００７】
ＮＸのコンテキストにおいて、時間同期は、第１の参照信号（例えば、時間同期信号（ＴＳＳ：Time Synchronization Signal）を用いて行われ、粗周波数同期は、同じ第１の参照信号又は第２の信号（例えば、周波数同期信号）を用いて行われる。これらの信号が、時間及び周波数のいずれにおいても非常に正確な同期をもたらすよう意図されてはいないことに気付くであろう。時間誤差は、ＯＦＤＭシステムにおけるサイクリックプレフィックスによって対処でき、周波数誤差は、十分なサブキャリア間隔を設けることによって対処できる。しかし、（６４及び２５６ＱＡＭのような）より高次の変調方式とともにＰＤＣＨのより高いランクの送信の性能を制限しないために、より優れた周波数同期が必要とされる。（例えばＬＴＥの場合のような）最新のソリューションは、この目的のためにＤＭＲＳ又はＣＲＳを再利用する。
【０００８】
より高い搬送波周波数における５Ｇシステムの展開では、より低い搬送波周波数におけるＬＴＥと比べて、無線リンクはいくつかの新たな特性を示す。基本的な変化の１つは、ＯＦＤＭシンボル内の全サブキャリアに共通の位相雑音を軽減するための新たな位相参照信号の必要性を生じさせる周波数でスケーリングされることである。この参照信号は、上りリンク及び下りリンクの両方において必要とされうる。この信号は、精密搬送波周波数同期と位相雑音補償との両方のために使用可能であることが予測される。２番目が焦点である場合、参照信号は、位相雑音トラッキング参照信号（ＰＮＴ−ＲＳ：Phase Noise Tracking Reference Signal）と称されうる。
【０００９】
図２は、ＤＭＲＳ及び位相雑音トラッキングＲＳを含む時間‐周波数グリッドの例を示している。図示された設計は、未だ３ＧＰＰにおいて規定されていないため一例にすぎない。図示されるように、参照信号は、時間的に連続して送信され、８個の直交ＤＭＲＳリソースを作るために長さ８のカバーコードが使用されることを想定している。ＤＭＲＳリソースは、０ ... ７と数え上げられ、８個のＤＭＲＳポートとみなされうる。
【００１０】
例えばＬＴＥのような従来の同期型無線システムにおいては、いくつかの信号は、ＵＥがネットワークと最初に通信する必要無く当該信号を見つけられるように常に存在している。そのような信号の例には、プライマリ同期信号（ＰＳＳ：Primary Synchronization Signal）、セカンダリ同期信号（ＳＳＳ：Secondary Synchronization Signal）、及びＣＲＳが含まれる。これらのタイプの信号は、ＵＥがネットワークとの時間‐周波数同期を保つことを可能にする。しかし、常時オン信号は、無線システムに対してある程度の複雑度をもたらし、エネルギー性能不良につながるとともに、一定の干渉を与える。
【００１１】
いくつかの更に最近のソリューションは、上記の信号を無線システムから除去するリーン・システム設計を含む。これらの設計の問題は、同期手順がより複雑になり、オーバヘッドが増加することである。例えば、位相雑音トラッキングＲＳが、減少したデータレートを犠牲にして、スペクトルの大部分を使用しうる。他の例として、ＤＭＲＳの再利用は、正確な位相雑音トラッキングのために必要とされる時間密度が高いため、不十分である。ＤＭＲＳ設計は、周波数選択性を考慮しており、これは、周波数におけるリソース密度が、復調性能のためにかなり高いことが必要となることを示唆する。このため、同じ信号が復調及び位相雑音トラッキングの両方のために使用される場合、不必要に高いオーバヘッドが生じる可能性がある。
【発明の概要】
【００１２】
既存のソリューションの上述の問題に対処するために、受信機性能の改善のための位相雑音トラッキングパイロットへの復調参照信号（ＤＭＲＳ）マッピングを行う方法及びシステムを開示する。
【００１３】
ある実施形態によれば、ユーザ装置は、セルラネットワークにおける使用のために提供される。ユーザ装置は、送受信機、プロセッサ、及びメモリを備えうる。ユーザ装置は、復調参照信号（ＤＭＲＳ）構成を取得するように構成されうる。ＤＭＲＳ構成からの位相雑音トラッキング参照信号（ＰＮＴ−ＲＳ）へのマッピングが判定される。ＤＭＲＳ構成を用いてチャネル推定が実行される。マッピング及びチャネル推定を用いて、ＰＮＴ−ＲＳに基づいて位相雑音の推定及び補償が実行される。
【００１４】
ある実施形態によれば、ユーザ装置による方法が、セルラネットワークにおける使用のために提供される。本方法は、復調参照信号（ＤＭＲＳ）構成を取得することを含む。ＤＭＲＳ構成からの位相雑音トラッキング参照信号（ＰＮＴ−ＲＳ）へのマッピングが判定される。ＤＭＲＳ構成を用いてチャネル推定が実行される。マッピング及びチャネル推定を用いて、ＰＮＴ−ＲＳに基づいて位相雑音の推定及び補償が実行される。
【００１５】
ある実施形態によれば、ユーザ装置が、セルラネットワークにおける使用のために提供される。ユーザ装置は、送受信機、プロセッサ、及びメモリを備える。ユーザ装置は、復調参照信号（ＤＭＲＳ）構成を送出るように構成されうる。ＤＭＲＳ構成は、ＰＮＴ−ＲＳ送信へのマッピングと関連付けられうる。ＰＮＴ−ＲＳは、当該マッピングに従って受信機へ送信される。
【００１６】
ある実施形態によれば、ユーザ装置による方法が、セルラネットワークにおける使用のために提供される。本方法は、復調参照信号（ＤＭＲＳ）構成を送出することを含む。ＤＭＲＳ構成は、ＰＮＴ−ＲＳ送信へのマッピングと関連付けられうる。ＰＮＴ−ＲＳは、当該マッピングに従って受信機へ送信される。
【００１７】
ある実施形態によれば、ネットワークノードが、セルラネットワークにおける使用のために提供される。ネットワークノードは、送受信機、プロセッサ、及びメモリを備える。ネットワークノードは、復調参照信号（ＤＭＲＳ）構成を取得するように構成されうる。ＤＭＲＳ構成からの位相雑音トラッキング参照信号（ＰＮＴ−ＲＳ）へのマッピングが判定される。ＤＭＲＳ構成を用いてチャネル推定が実行される。マッピング及びチャネル推定を用いて、ＰＮＴ−ＲＳに基づいて位相雑音の推定及び補償が実行される。
【００１８】
ある実施形態によれば、ネットワークノードによる方法が、セルラネットワークにおける使用のために提供される。本方法は、復調参照信号（ＤＭＲＳ）構成を取得することを含む。ＤＭＲＳ構成からの位相雑音トラッキング参照信号（ＰＮＴ−ＲＳ）へのマッピングが判定される。ＤＭＲＳ構成を用いてチャネル推定が実行される。マッピング及びチャネル推定を用いて、ＰＮＴ−ＲＳに基づいて位相雑音の推定及び補償が実行される。
【００１９】
ある実施形態によれば、ネットワークノードが、セルラネットワークにおける使用のために提供される。ネットワークノードは、送受信機、プロセッサ、及びメモリを備える。ネットワークノードは、復調参照信号（ＤＭＲＳ）構成を送出するように構成されうる。ＤＭＲＳ構成は、ＰＮＴ−ＲＳ送信へのマッピングと関連付けられうる。ＰＮＴ−ＲＳは、当該マッピングに従って受信機へ送信される。
【００２０】
ある実施形態によれば、ネットワークノードによる方法が、セルラネットワークにおける使用のために提供される。本方法は、復調参照信号（ＤＭＲＳ）構成を送出することを含む。ＤＭＲＳ構成は、ＰＮＴ−ＲＳ送信へのマッピングと関連付けられうる。ＰＮＴ−ＲＳは、当該マッピングに従って受信機へ送信される。
【００２１】
ある実施形態によれば、受信機による方法が、セルラネットワークにおける使用のために提供される。本方法は、復調参照信号（ＤＭＲＳ）構成を取得することを含む。ＤＭＲＳ構成からのＰＮＴ−ＲＳ送信へのマッピングが判定される。ＤＭＲＳ構成を用いてチャネル推定が実行される。マッピング及びチャネル推定を用いて、ＰＮＴ−ＲＳに基づいて位相雑音の推定及び補償が実行される。
【００２２】
ある実施形態によれば、受信機が、セルラネットワークにおける使用のために提供される。受信機は、送受信機、送信機、プロセッサ、及びメモリを備える。受信機は、復調参照信号（ＤＭＲＳ）構成を取得し、ＤＭＲＳ構成からのＰＮＴ−ＲＳ送信へのマッピングを判定するように構成される。ＤＭＲＳ構成を用いてチャネル推定が実行される。マッピング及びチャネル推定を用いて、ＰＮＴ−ＲＳに基づいて位相雑音の推定及び補償が実行される。
【００２３】
ある実施形態によれば、送信機による方法が提供される。本方法は、送信機によって、復調参照信号（ＤＭＲＳ）構成を送出することを含む。ＤＭＲＳ構成は、ＰＮＴ−ＲＳ送信へのマッピングと関連付けられる。ＰＮＴ−ＲＳは、当該マッピングに従って受信機へ送信される。
【００２４】
ある実施形態によれば、送信機が、セルラネットワークにおける使用のために提供される。送信機は、送受信機、送信機、プロセッサ、及びメモリを備える。送信機は、復調参照信号（ＤＭＲＳ）構成を送出するよう構成され、ＤＭＲＳ構成は、ＰＮＴ−ＲＳ送信へのマッピングと関連付けられている。ＰＮＴ−ＲＳは、当該マッピングに従って受信機へ送信される。
【００２５】
本開示のある実施形態は、１つ以上の技術的効果を提供しうる。例えば、ある実施形態では、上りリンク又は下りリンクにおいてマルチアンテナ受信機を用いるユースケースでは、ＰＮＴ−ＲＳ信号の送信のためのオーバヘッドが低減されうる。例えば、４つ以上の受信アンテナを用いる上りリンク（ＵＬ）又は下りリンク（ＤＬ）マルチユーザ多入力多出力（ＭＵ−ＭＩＭＯ）を考える。４ユーザが多重される場合、４つのサブキャリアが使用されうる。例えば、各ユーザは１つのサブキャリアで送信を行い、他の３つのサブキャリアをブランクにしうる。あるいは、本明細書に記載の方法によれば、１つのサブキャリアのみが使用されうるとともに、ＰＮＴ−ＲＳが、ＤＭＲＳチャネル推定を用いて分離されうる。したがって、ある実施形態の技術的効果には、最大で７５パーセントのオーバヘッドの低減が含まれうる。ある程度の干渉が残り、利得が低くなる場合であっても、オーバヘッドの低減が期待できる。
【００２６】
他の効果は、当業者には容易に明らかになろう。ある実施形態は、記載された利点のいずれも有しえないか、いくつかを有しうるか、又は全てを有しうる。
【図面の簡単な説明】
【００２７】
開示された実施形態とそれらの特徴及び利点のより完全な理解のために、以下では、添付図面とともに以下の記載が参照される。
【００２８】
【図１】図１は、物理データチャネル（ＰＤＣＨ）、及び割り当て又はグラントを運ぶための関連する物理下りリンク制御チャネル（ＰＤＣＣＨ）の下りリンク送信を示すブロック図である。
【図２】図２は、ＤＭＲＳ及び位相雑音トラッキングＲＳ（ＰＮＴ−ＲＳ）を含む時間‐周波数グリッドの例を示すブロック図である。
【図３】図３は、ある実施形態に係る、受信機によるＰＮＴ−ＲＳ受信のための一例の方法のフローチャートである。
【図４】図４は、ある実施形態に係る、ＰＮＴ−ＲＳ受信のための一例のコンピューティングデバイスを示すブロック図である。
【図５】図５は、ある実施形態に係る、受信機によるＰＮＴ−ＲＳ送信のための一例の方法を示すフローチャートである。
【図６】図６は、ある実施形態に係る、ＰＮＴ−ＲＳ受信のための一例のコンピューティングデバイスを示すブロック図である。
【図７】図７は、ある実施形態に係る、ＰＮＴ−ＲＳのためにブランクにされたリソースを含む、一例の時間‐周波数グリッドを示すブロック図である。
【図８】図８は、ある実施形態に係る、データによる干渉を受けるＰＮＴ−ＲＳを示す、他の例の時間‐周波数グリッドを示すブロック図である。
【図９】図９は、ある実施形態に係る、他のユーザのＰＮＴ−ＲＳによる干渉を受けるＰＮＴ−ＲＳを示す、他の例の時間‐周波数グリッドを示すブロック図である。
【図１０】図１０は、ある実施形態に係る、ＰＮＴ−ＲＳ受信のためのネットワークの一例の実施形態を示すブロック図である。
【図１１】図１１は、ある実施形態に係る、ＰＮＴ−ＲＳの送信又は受信のための例示的な無線デバイスのブロック図である。
【図１２】図１２は、ある実施形態に係る、ＰＮＴ−ＲＳの送信又は受信のための例示的なネットワークノードのブロック図である。
【図１３】図１３は、ある実施形態に係る、例示的な無線ネットワーク制御装置又はコアネットワークノードのブロック図である。
【発明を実施するための形態】
【００２９】
ある実施形態によれば、ＰＮＴ−ＲＳをＤＭＲＳとの関連でどのようにビームフォーミングするかが、黙示的又は明示的にシグナリングされうる。例えば、位相雑音トラッキング参照信号（ＰＮＴ−ＲＳ）は、ＤＭＲＳ上の少なくとも１つの特定のポートにマッピングされうる。例えば、特定の実施形態において、位相雑音トラッキング参照信号は、最初のＤＭＲＳポートにマッピングされうる。そのため、受信機は、上記のＤＭＲＳポートについての実効チャネルのチャネル推定値が、ＰＮＴ−ＲＳを送信するために使用される実効チャネルを表すことを知りうる。これにより、受信機及び対応する送信機が、受信機による良好な受信を可能にするために上記ポートのビームフォーミングを最適化することが可能になる。ある実施形態において、異なるユーザ／レイヤ用のＤＭＲＳが、直交し、かつ、ＰＮＴ−ＲＳよりも高い処理利得を有するため、受信機は、この最適化されたビームフォーミングを利用してもよく、ＰＮＴ−ＲＳはあまりに大きなオーバヘッドを避けるために低密度で送信され、いくつかの実施形態では、独立した推定値が各ＯＦＤＭシンボルにおいて必要とされる可能性がある。
【００３０】
その結果、ＰＮＴ−ＲＳの受信は、（他のＰＮＴ−ＲＳを含む）データ／他の信号から空間的に分離されうる。更に、受信機利得は、ＤＭＲＳ上の処理利得に起因して改善されうる。このため、ある実施形態は、マルチアンテナ受信機のためのより良好な受信を可能にし、異なる実施形態において、残りのアンテナポート及び／又は他のユーザにわたって送信されるデータとＰＮＴ−ＲＳを多重化することを可能にするために利用されうる。いくつかの実施形態は、更に、より高度なＰＮＴ−ＲＳ再利用を可能にしうる。
【００３１】
図３は、ある実施形態に係る、受信機によるＰＮＴ−ＲＳ受信のための一例の方法１００のフローチャートである。種々の実施形態において、受信機は、無線デバイス又はネットワークノードを含んでよく、それらの例示的な実施形態を図１０−図１２について以下でより詳細に説明する。
【００３２】
ある実施形態において、本方法は、ステップ１０２において始まり、当該ステップにおいてＤＭＲＳ構成が取得される。ステップ１０４において、ＤＭＲＳ構成との関連でＰＮＴ−ＲＳ送信へのマッピングが特定される。特定の実施形態において、ＰＮＴ−ＲＳは、特定のＤＭＲＳポートへマッピングされうる。具体的には、単なる一例として、ＰＮＴ−ＲＳは、最初のＤＭＲＳポートにマッピングされうる。
【００３３】
ステップ１０６において、チャネル推定がＤＭＲＳに対して実行される。ある実施形態では、チャネル推定及びマッピングが、ＰＮＴ−ＲＳ受信機設定を判定するために使用されうる。特定の実施形態において、ＰＮＴ−ＲＳ受信機設定の判定は、チャネル推定値からＰＮＴ−ＲＳ受信機重みを計算することを含みうる。
【００３４】
ステップ１０８において、ＰＮＴ−ＲＳに基づいて、かつ、マッピング及びチャネル推定を用いて、位相雑音の推定及び補償が実行される。ある実施形態では、位相雑音の推定及び補償は、データシンボルについての受信された送信に対して実行されうる。特定の実施形態では、ＰＮＴ−ＲＳは、受信機に関連する他のレイヤに関連する他のデータによる干渉を受けうる。本方法は、他のレイヤ用のＤＭＲＳからの既知のチャネルに基づいて、他のレイヤからの干渉を推定することを含んでもよく、干渉除去が実行されてもよい。追加的又は代替的に、ＰＮＴ−ＲＳは、他の受信機に関連する、同時にスケジューリングされたＰＮＴ−ＲＳによる干渉を受けることがある。本方法は、同時にスケジューリングされたＰＮＴ−ＲＳと、同時にスケジューリングされたＰＮＴ−ＲＳについてのＤＭＲＳとを取得すること、及び、同時にスケジューリングされたＰＮＴ−ＲＳについて干渉除去を実行することを含みうる。
【００３５】
ある実施形態において、上述のようなＰＮＴ−ＲＳ受信のための方法は、仮想コンピューティングデバイスによって実行されてもよい。図４は、ある実施形態に係る、ＰＮＴ−ＲＳ受信のための一例のコンピューティングデバイス２００を示すブロック図である。図示されたように、仮想コンピューティングデバイス２００は、図３に図示されて説明された方法に関して上述されたステップと同様のステップを実行するためのモジュールを含みうる。例えば、仮想コンピューティングデバイス２００は、少なくとも１つの取得モジュール２０２、判定モジュール２０４、第１の実行モジュール２０６、第２の実行モジュール２０８、及びＰＮＴ−ＲＳ受信のための他の任意の適切なモジュールを含みうる。いくつかの実施形態において、当該モジュールの１つ以上が、図１１及び図１２に関連して以下で説明される例示的なプロセッサのようなプロセッサによって実装されうる。追加的には、ある実施形態において、本明細書で説明される種々のモジュールの２つ以上の機能が、単一のモジュールに統合されうることが認識される。
【００３６】
取得モジュール２０２は、仮想コンピューティングデバイス２００の取得機能を実行しうる。例えば、ある実施形態において、取得モジュール２０２は、ＤＭＲＳ構成を取得しうる。特定の実施形態において、取得モジュール２０２は、ネットワークノードからＤＭＲＳ構成を受信しうる。他の実施形態において、取得モジュール２０２は、無線デバイスからＤＭＲＳ構成を取得しうる。
【００３７】
判定モジュール２０４は、仮想コンピューティングデバイス２００の判定機能を実行しうる。例えば、ある実施形態において、判定モジュール２０４は、ＤＭＲＳ構成との関連でＰＮＴ−ＲＳ送信へのマッピングを判定しうる。特定の実施形態において、例えば、判定モジュール２０４は、最初のＤＭＲＳポートのような特定のＤＭＲＳポートに、ＰＮＴ−ＲＳがマッピングされていることを判定しうる。
【００３８】
第１の実行モジュール２０６は、仮想コンピューティングデバイス２００の実行機能の１つ以上を実行しうる。例えば、ある実施形態において、実行モジュール２０６は、ＤＭＲＳに対してチャネル推定を実行しうる。
【００３９】
第２の実行モジュール２０８は、仮想コンピューティングデバイス２００の実行機能の１つ以上を実行しうる。例えば、ある実施形態において、第２の実行モジュール２０８は、ＰＮＴ−ＲＳに基づいて位相雑音の推定及び補償を実行し、ＰＮＴ−ＲＳ受信機設定を判定しうる。特定の実施形態において、第２の実行モジュール２０８は、マッピング及びチャネル推定値を用いて、位相雑音の推定及び補償を実行しうる。
【００４０】
仮想コンピューティングデバイス２００の他の実施形態は、上述の機能のいずれか及び／又は（上述のソリューションをサポートするために必要な任意の機能を含む）任意の追加の機能を含む、受信機の機能の特定の態様を提供することに関与しうる、図４に示されるコンポーネント以外の追加のコンポーネントを含みうる。受信機は、同じ物理ハードウェアを有するが異なる無線アクセス技術をサポートするよう（例えば、プログラミングを介して）構成されたコンポーネントを含みうるか、又は、図示された物理コンポーネントとは異なる物理コンポーネントを部分的に若しくは全体的に表しうる。
【００４１】
図５は、ある実施形態に係る、受信機によるＰＮＴ−ＲＳ送信のための一例の方法３００を示すフローチャートである。種々の実施形態において、送信機は、無線デバイス又はネットワークノードを含んでよく、それらの例示的な実施形態を図１０−図１２について以下でより詳細に説明する。
【００４２】
ある実施形態において、本方法は、ステップ３０２において始まり、当該ステップにおいて送信機はＤＭＲＳ構成を送信する。特定の実施形態において、送信機は、無線デバイスへＤＭＲＳ構成を送信するネットワークノードでありうる。他の実施形態において、送信機は、ネットワークノードへＤＭＲＳ構成を送信する無線デバイスでありうる。
【００４３】
ある実施形態において、ＤＭＲＳ構成は、ＰＮＴ−ＲＳ送信へのマッピングと関連付けられうる。特定の実施形態において、例えば、ＰＮＴ−ＲＳは、例えば最初のＤＭＲＳポートのような特定のＤＭＲＳポートにマッピングされうる。
【００４４】
ステップ３０４において、送信機は、マッピングに従って受信機へＰＮＴ−ＲＳを送信する。上述のように、ある実施形態において、受信機は、位相雑音の推定及び補償を実行するために使用されうるＰＮＴ−ＲＳ受信機設定を判定するために、マッピングを使用しうる。
【００４５】
ある実施形態において、上述のようなＰＮＴ−ＲＳ送信のための方法は、仮想コンピューティングデバイスによって実行されてもよい。図６は、ある実施形態に係る、ＰＮＴ−ＲＳ受信のための一例のコンピューティングデバイス４００を示すブロック図である。図示されたように、仮想コンピューティングデバイス４００は、図６に図示されて説明された方法に関して上述されたステップと同様のステップを実行するためのモジュールを含みうる。例えば、仮想コンピューティングデバイス４００は、少なくとも送出モジュール４０２、送信モジュール４０４、及びＰＮＴ−ＲＳ送信のための他の任意の適切なモジュールを含みうる。いくつかの実施形態において、当該モジュールの１つ以上が、図１１及び図１２に関連して以下で説明される例示的なプロセッサのようなプロセッサによって実装されうる。追加的には、ある実施形態において、本明細書で説明される種々のモジュールの２つ以上の機能が、単一のモジュールに統合されうることが認識される。
【００４６】
送出モジュール４０２は、仮想コンピューティングデバイス４００の送出機能を実行しうる。例えば、ある実施形態において、送出モジュール４０２は、ＤＭＲＳ構成を送信しうる。特定の実施形態において、送出モジュール４０２は、ネットワークノードへＤＭＲＳ構成を送出しうる。他の実施形態において、送出モジュール４０２は、無線デバイスへＤＭＲＳ構成を送信しうる。ＤＭＲＳ構成は、ＰＮＴ−ＲＳ送信へのＤＭＲＳ構成からのマッピングと関連付けられうる。特定の実施形態において、例えば、ＰＮＴ−ＲＳは、最初のＤＭＲＳポートのような特定のＤＭＲＳポートにマッピングされうる。
【００４７】
送信モジュール４０４は、仮想コンピューティングデバイス４００の送信機能を実行しうる。例えば、ある実施形態において、送信モジュール４０４は、マッピングに従ってＰＮＴ−ＲＳを受信機へ送信しうる。上述のように、それにより、受信機は、ある実施形態において、位相雑音の推定及び補償を実行するために使用されうるＰＮＴ−ＲＳ受信機設定を判定するために、マッピングを使用しうる。
【００４８】
仮想コンピューティングデバイス４００の他の実施形態は、上述の機能のいずれか及び／又は（上述のソリューションをサポートするために必要な任意の機能を含む）任意の追加の機能を含む、受信機の機能の特定の態様を提供することに関与しうる、図６に示されるコンポーネント以外の追加のコンポーネントを含みうる。受信機は、同じ物理ハードウェアを有するが異なる無線アクセス技術をサポートするよう（例えば、プログラミングを介して）構成されたコンポーネントを含みうるか、又は、図示された物理コンポーネントとは異なる物理コンポーネントを部分的に若しくは全体的に表しうる。
【００４９】
図７は、ある実施形態に係る、位相雑音トラッキングＲＳのためにブランクにされたリソースを含む、一例の時間‐周波数グリッド５００Ａ−Ｂを示している。より具体的には、図７は、２つのそれぞれの受信機についての一対の時間‐周波数グリッド５００Ａ及び５００Ｂを示している。図示されたように、時間‐周波数グリッド５００Ａは、８個以下の直交ＤＭＲＳ５０２と、ＰＮＴ−ＲＳ５０４とを含む。同様に、時間‐周波数グリッド５００Ｂは、時間‐周波数グリッド５００ＡのＤＭＲＳ５０２に対応する８個以下のＤＭＲＳ５０６と、ＰＮＴ−ＲＳ５０８とを含む。しかし、ＰＮＴ−ＲＳ５０８及びＰＮＴ−ＲＳ５０４のそれぞれと関連付けられたリソースは、それぞれのＰＮＴ−ＲＳのためにのみ使用されるようにブラックにされる。このため、図示されたシナリオでは、ＰＮＴ−ＲＳは、他のいずれの信号とも多重化されない。したがって、ＤＭＲＳに対するチャネル推定の主目的は、ＰＮＴ−ＲＳの受信時における受信機利得を増加させることである。このため、ある実施形態では、最大比送信（ＭＲＴ：maximum radio transmission）受信機が好まれうる。
【００５０】
図８は、ある実施形態に係る、データによって干渉を受ける位相雑音トラッキングＲＳを含む、一例の時間‐周波数グリッド６００Ａ−Ｂを示している。より具体的には、図８は、２つのそれぞれの受信機についての一対の時間‐周波数グリッド６００Ａ及び６００Ｂを示している。図示されたように、時間‐周波数グリッド６００Ａは、８個以下の直交ＤＭＲＳ６０２と、ＰＮＴ−ＲＳ６０４とを含む。時間‐周波数グリッド６００Ｂは、時間‐周波数グリッド６００ＡのＤＭＲＳ６０２に対応する８個以下のＤＭＲＳ６０６と、ＰＮＴ−ＲＳ６０８とを含む。図７とは対照的に、ＰＮＴ−ＲＳ６０４及び６０８のために使用されるリソースは、ブランクにされておらず、その結果、干渉データによる干渉を受けている。
【００５１】
ある実施形態において、干渉信号は、シングルユーザ他入力多出力（ＳＵ−ＭＩＭＯ）からの又はマルチユーザ他入力多出力（ＭＵ−ＭＩＭＯ）からの他のレイヤからのデータを指す。この状況では、受信機は、他のユーザからの干渉を、１つの未知の成分として扱い、他のレイヤからの干渉を、それらのレイヤについての（ＤＭＲＳからの）既知のチャネルに起因して推定可能な第２の成分として扱いうる。他のレイヤからの干渉を、他の干渉と同様に扱うことが可能であってもよい。具体的には、ネットワークが、同時にスケジューリングされたユーザを、無線デバイスへシグナリングするか、又は、バックホールを介して受信ネットワークノードへシグナリングする場合に、ネットワーク支援型の干渉除去が可能であってよい。
【００５２】
図９は、ある実施形態に係る、他ユーザのＰＮＴ−ＲＳによる干渉を受けるＰＮＴ−ＲＳを含む、一例の時間‐周波数グリッド７００Ａ−Ｂを示している。より具体的には、図９は、２つのそれぞれの受信機についての一対の時間‐周波数グリッド７００Ａ及び７００Ｂを示している。また、時間‐周波数グリッド７００Ａは、８個以下の直交ＤＭＲＳ７０２と、ＰＮＴ−ＲＳ７０４とを含む。時間‐周波数グリッド７００Ｂは、時間‐周波数グリッド７００ＡのＤＭＲＳ７０２に対応する８個以下のＤＭＲＳ７０６と、ＰＮＴ−ＲＳ７０８とを含む。
【００５３】
図示されたように、ＰＮＴ−ＲＳ７０８及びＰＮＴ−ＲＳ７０４は、干渉信号による干渉を受けている。いくつかの実施形態において、干渉信号は、他ユーザからのＰＮＴ−ＲＳを指す。例えば、ＰＮＴ−ＲＳ７０８は、ＰＮＴ−ＲＳ７０４による干渉を受け、その逆も同様である。
【００５４】
ある実施形態において、受信機は、他ユーザからのより少ない干渉を有し、これは、各ユーザが、送信におけるレイヤ数に依存せずに１つのＰＮＴ−ＲＳのみを必要とすることが想定されるためである。例えば、いくつかの実施形態では、ＰＮＴ−ＲＳに対してより少ない干渉が存在しうる。したがって、ある実施形態では、ネットワークが、同時スケジューリングされた位相雑音トラッキングＲＳ（存在する場合）だけでなく、同時スケジューリングされた同期信号についての関連するＤＭＲＳをシグナリングできるため、ネットワーク支援型の干渉除去は非常に有益でありうる。その結果、他のＰＮＴ−ＲＳの非常に効率的な除去となる。
【００５５】
図１０は、ある実施形態に係る、ネットワーク８００の実施形態を示すブロック図である。ネットワーク８００は、置き換え可能に無線デバイス８１０又はＵＥ８１０と称されうる、１つ以上の無線デバイス８１０Ａ−Ｃと、置き換え可能にネットワークノード８１５又はｅＮｏｄｅＢ（ｅＮＢ）８１５と称されうる、ネットワークノード８１５Ａ−Ｃとを含む。無線デバイス８１０は、無線インタフェースを介してネットワークノード８１５と通信しうる。例えば、無線デバイス８１０Ａは、ネットワークノード８１５の１つ以上へ無線信号を送信しうるか、ネットワークノード８１５の１つ以上から無線信号を受信しうるか、又はその両方である。無線信号は、音声トラフィック、データトラフィック、制御信号、及び／又は任意の他の適切な情報を含みうる。いくつかの実施形態において、ネットワークノード８１５と関連付けられた無線信号カバレッジのエリアは、セルと称されうる。いくつかの実施形態において、無線デバイス８１０は、Ｄ２Ｄ能力を有しうる。このため、無線デバイス８１０は、他の無線デバイスからの信号の受信、及び／又は他の無線デバイスへ信号の直接送信が可能でありうる。例えば、無線デバイス８１０は、無線デバイス８１０Ｂからの信号の受信、及び／又は無線デバイス８１０Ｂへの信号の送信が可能でありうる。
【００５６】
ある実施形態におおいて、ネットワークノード８１５は、（図１０には図示されていない）無線ネットワーク制御装置とのインタフェースを行いうる。無線ネットワーク制御装置は、ネットワークノード８１５を制御しうるとともに、特定の無線リソース管理機能、モビリティ管理機能、及び／又は他の適切な機能を提供しうる。ある実施形態において、無線ネットワーク制御装置の機能は、ネットワークノード８１５に含まれうる。無線ネットワーク制御装置は、コアネットワークノードとのインタフェースを行いうる。ある実施形態において、無線ネットワーク制御装置は、相互接続ネットワークを介してコアネットワークノードとのインタフェースを行いうる。相互接続ネットワークは、音声、ビデオ、信号、データ、メッセージ、又はそれらの任意の組み合わせを送信可能な任意の相互接続システムを指しうる。相互接続ネットワークは、公衆交換電話網（ＰＳＴＮ）、プライベートデータネットワーク、ローカルエリアネットワーク（ＬＡＮ）、メトロポリタンエリアネットワーク（ＭＡＮ）、ワイドエリアネットワーク（ＷＡＮ）、インターネットのようなローカル、地域、若しくはグローバル通信又はコンピュータネットワーク、有線若しくは無線ネットワーク、企業イントラネット、又は、それらの組み合わせを含む、任意の他の適切な通信リンクの全て又は一部を含みうる。
【００５７】
いくつかの実施形態において、コアネットワークノードは、通信セッションの確立、及び無線デバイス８１０用の種々の他の機能を管理しうる。無線デバイス８１０は、非アクセス層レイヤを用いて、コアネットワークノードと特定の信号をやりとりしうる。非アクセス層シグナリングにおいて、無線デバイス８１０とコアネットワークノードとの間の信号は、無線アクセスネットワークを透過的に通らされうる。ある実施形態において、ネットワークノード８１５は、ノード間インタフェースを介して１つ以上のネットワークノードとのインタフェースを行いうる。例えば、ネットワークノード８１５Ａ及び８１５Ｂは、（図示されていない）Ｘ２インタフェースを介してインタフェースを行いうる。
【００５８】
上述のように、ネットワーク８００の実施形態の例は、１つ以上の無線デバイス８１０、及び無線デバイス８１０と（直接的又は間接的に）通信可能な１つ以上の異なるタイプのネットワークノードを含みうる。無線デバイス８１０は、無線信号を介してネットワークノード８１５又は他の無線デバイス８１０と通信する能力を有する任意のタイプの無線デバイスを指しうる。無線デバイス８１０は、無線通信デバイス、ターゲットデバイス、デバイス・ツー・デバイス（Ｄ２Ｄ）ＵＥ、マシンタイプ通信ＵＥ若しくはマシン・ツー・マシン通信（Ｍ２Ｍ）が可能なＵＥ、ＵＥを備えたセンサ、ｉＰａｄ（登録商標）、タブレット、モバイル端末、スマートフォン、laptop embedded equipped（ＬＥＥ）、laptop mounted equipment（ＬＭＥ）、ＵＳＢドングル、Customer Premises Equipment（ＣＰＥ）等でもありうる。無線デバイス１１０の例は、携帯電話、スマートフォン、ＰＤＡ（パーソナル・デジタル・アシスタント）、ポータブルコンピュータ（例えば、ラップトップ、タブレット）、センサ、モデム、マシンタイプ通信（ＭＴＣ）デバイス／マシン・ツー・マシン（Ｍ２Ｍ）デバイス、laptop embedded equipment（ＬＥＥ）、laptop mounted equipment（ＬＭＥ）、ＵＳＢドングル、Ｄ２Ｄ能力を有するデバイス、又は無線通信システムを提供可能な他のデバイスを含む。いくつかの実施形態において、無線デバイス１１０は、ＵＥ、ステーション（ＳＴＡ）、デバイス、又は端末と称されてもよい。また、いくつかの実施形態において、「無線ネットワークノード」（又は単に「ネットワークノード」）という一般的な用語が使用される。それは、ＮｏｄｅＢ、基地局（ＢＳ）、ＭＳＲ ＢＳのようなマルチスタンダード無線（ＭＳＲ）の無線ノード、ｅＮｏｄｅＢ、ネットワーク制御装置、無線ネットワーク制御装置（ＲＮＣ）、基地局制御装置（ＢＳＣ）、中継ドナーノード制御中継器、無線基地局（ＢＴＳ）、アクセスポイント（ＡＰ）、送信ポイント、送信ノード、ＲＲＵ、ＲＲＨ、分散アンテナシステム（ＤＡＳ）のノード、コアネットワークノード（例えば、ＭＳＣ、ＭＭＥ等）、Ｏ＆Ｍ、ＯＳＳ、ＳＯＮ、測位ノード（例えば、ＥＥ−ＳＭＬＣ）、ＭＤＴ、又は任意の適切なネットワークノードを含みうる、あらゆる種類のネットワークノードでありうる。
【００５９】
ネットワークノード及びＵＥのような用語は、非限定的と考えられるべきであり、２つの特定の階層関係を具体的に示唆するものではなく、一般的には、「ｅＮｏｄｅＢ」はデバイス１と考えることができ、「ＵＥ」はデバイス２と考えることができ、これらの２つのデバイスは、何らかの無線チャネルを介して互いに通信する。無線デバイス８１０、ネットワークノード８１５、及び（無線ネットワーク制御装置又はコアネットワークノードのような）他のネットワークノードの実施形態の例を、図１１、図１２及び図１３に関してそれぞれより詳細に説明する。
【００６０】
図１０は、ネットワーク８００の特定の構成を示し、本開示は、本明細書に記載の種々の実施形態が、任意の適切な構成を有する様々なネットワークに適用されうることを検討している。例えば、ネットワーク８００は、任意の適切な数の無線デバイス８１０及びネットワークノード８１５と、無線デバイス間の通信又は無線デバイスと（有線電話のような）他の通信デバイスとの間の通信のサポートに適した任意の追加のエレメントとを含みうる。更に、ある実施形態はロングタームエボリューション（ＬＴＥ）ネットワークにおいて実装されるものとして説明されうるが、当該実施形態は、任意の適切な通信標準規格をサポートしている、かつ、任意の適切なコンポーネントを使用する任意の適切なタイプの電気通信システムにおいて実装でき、無線デバイスが信号（例えばデータ）の受信及び／又は送信を行う任意の無線アクセス技術（ＲＡＴ）又はマルチＲＡＴシステムに対して適用可能である。例えば、本明細書に記載の種々の実施形態は、ＬＴＥ、ＬＴＥ−Ａｄｖａｎｃｅｄ、ＬＴＥ−Ｕ ＵＭＴＳ、ＨＳＰＡ、ＧＳＭ（登録商標）、ｃｄｍａ２０００、ＷｉＭａｘ、ＷｉＦｉ、他の適切な無線アクセス技術、又は１つ以上の無線アクセス技術の任意の適切な組み合わせに対して適用可能でありうる。下りリンクにおける無線送信との関連で特定の実施形態について説明されているが、本開示は、種々の実施形態が同じように上りリンクにおいて適用可能であり、またその逆も同様であることを考慮している。
【００６１】
図１１は、ある実施形態に係る、例示的な無線デバイス８１０のブロック図である。図示されたように、無線デバイス８１０は、送受信機９１０、プロセッサ９２０、及びメモリ９３０を備える。いくつかの実施形態において、送受信機９１０は、（例えば、アンテナを介した）ネットワークノード８１５への無線信号の送信及びネットワークノード８１５からの無線信号の受信を促進し、プロセッサ９２０は、無線デバイス８１０によって提供されるものとして上述した機能の一部又は全てを提供するための命令を実行し、メモリ９３０は、プロセッサ９２０によって実行される命令を格納する。
【００６２】
プロセッサ９２０は、無線デバイス８１０の説明された機能の一部又は全てを実行するために命令の実行及びデータの操作を行う１つ以上のモジュールが実装された、ハードウェア及びソフトウェアの任意の適切な組み合わせを含みうる。いくつかの実施形態において、プロセッサ９２０は、例えば、１つ以上のコンピュータ、１つ以上の中央処理装置（ＣＰＵ）、１つ以上のマイクロプロセッサ、１つ以上のアプリケーション、及び／又は他のロジックを含みうる。
【００６３】
メモリ９３０は、一般に、コンピュータプログラム、ソフトウェア、１つ以上のロジック、ルール、アルゴリズム、テーブル等を含むアプリケーション、及び／又はプロセッサによって実行可能な他の命令のような命令を格納するよう動作可能である。メモリ９３０の例に、コンピュータメモリ（例えば、ランダムアクセスメモリ（ＲＡＭ）又はリードオンリーメモリ（ＲＯＭ））、マスストレージ媒体（例えば、ハードディスク）、取り外し可能記憶媒体（例えば、コンパクトディスク（ＣＤ）又はデジタルビデオディスク（ＤＶＤ）、及び／又は、任意の他の揮発性若しくは不揮発性の、非一時的なコンピュータ読み取り可能な及び／又はコンピュータ実行可能な、情報を格納するメモリデバイスを含む。
【００６４】
無線デバイス８１０の他の実施形態は、上述の機能のいずれか及び／又は（上述のソリューションをサポートするために必要な任意の機能を含む）任意の追加の機能を含む、無線デバイスの機能の特定の態様を提供することに関与しうる、図１１に示されるコンポーネント以外の追加のコンポーネントを含みうる。ある実施形態では、例えば、無線デバイス８１０は、図３に関して上述した受信方法及び／又は図５に関して上述した送信方法を実行するためのコンポーネントを含みうる。
【００６５】
図１２は、ある実施形態に係る、例示的なネットワークノード８１５のブロック図である。ネットワークノード８１５は、無線デバイス８１０及び／又は他のネットワークノード８１５と通信する、任意のタイプの無線ネットワークノード又は任意のネットワークノードでありうる。ネットワークノード８１５は、ホモジニアス配置、ヘテロジニアス配置、又は混合配置として、ネットワーク８００の至る所に配置されうる。ホモジニアス配置は、一般的には、同一の（又は類似の）タイプのネットワークノード８１５及び／又は類似のカバレッジ及びセルサイズ及びサイト間距離で構成された配置を表しうる。ヘテロジニアス配置は、一般的には、異なるセルサイズ、送信電力、容量、及びサイト間距離を有する様々なタイプのネットワークノード８１５を用いる配置を表しうる。例えば、ヘテロジニアス配置は、マクロセルレイアウトの至る所に配置された複数の低電力ノードを含みうる。混合配置は、ホモジニアス部分とヘテロジニアス部分との混合を含みうる。
【００６６】
図示されたように、ネットワークノード８１５は、送受信機１０１０、プロセッサ１０２０、メモリ１０３０、及びネットワークインタフェース１０４０のうちの１つ以上を含みうる。いくつかの実施形態において、送受信機１０１０は、（例えば、アンテナを介した）無線デバイス８１０への無線信号の送信及び無線デバイス８１０からの無線信号の受信を促進し、プロセッサ１０２０は、ネットワークノード８１５によって提供されるものとして上述した機能の一部又は全てを提供するための命令を実行し、メモリ１０３０は、プロセッサ１０２０によって実行される命令を格納し、ネットワークインタフェース１０４０は、ゲートウェイ、スイッチ、ルータ、インターネット、公衆交換電話網（ＰＳＴＮ）、コアネットワークノード又は無線ネットワーク制御装置等のような、バックエンド・ネットワークコンポーネントへ信号を伝達する。
【００６７】
ある実施形態において、ネットワークノード８１５は、マルチアンテナ技術を使用可能であってもよく、マルチアンテナを備え、かつ、多入力多出力（ＭＩＭＯ）技術をサポート可能であってもよい。１つ以上のアンテナは、制御可能な偏波を有していてもよい。言い換えれば、各エレメントは、ビームフォーミング重みの異なるセットが、放射された電波に異なる偏波を与えるように、（例えば、交差偏波のように９０度分離された）異なる偏波を有する、２つの同一場所に配置されたサブエレメントを結いしてもよい。
【００６８】
プロセッサ１０２は、ネットワークノード８１５の説明された機能の一部又は全てを実行するために命令の実行及びデータの操作を行う１つ以上のモジュールが実装された、ハードウェア及びソフトウェアの任意の適切な組み合わせを含みうる。いくつかの実施形態において、プロセッサ１０２０は、例えば、１つ以上のコンピュータ、１つ以上の中央処理装置（ＣＰＵ）、１つ以上のマイクロプロセッサ、１つ以上のアプリケーション、及び／又は他のロジックを含みうる。
【００６９】
メモリ８３０は、一般に、コンピュータプログラム、ソフトウェア、１つ以上のロジック、ルール、アルゴリズム、テーブル等を含むアプリケーション、及び／又はプロセッサによって実行可能な他の命令のような命令を格納するよう動作可能である。メモリ８３０の例に、コンピュータメモリ（例えば、ランダムアクセスメモリ（ＲＡＭ）又はリードオンリーメモリ（ＲＯＭ））、マスストレージ媒体（例えば、ハードディスク）、取り外し可能記憶媒体（例えば、コンパクトディスク（ＣＤ）又はデジタルビデオディスク（ＤＶＤ）、及び／又は、任意の他の揮発性若しくは不揮発性の、非一時的なコンピュータ読み取り可能な及び／又はコンピュータ実行可能な、情報を格納するメモリデバイスを含む。
【００７０】
いくつかの実施形態において、ネットワークインタフェース１０４０は、プロセッサ１０２０に通信可能に接続され、ネットワークノード８１５に対する入力を受信、ネットワークノード８１５からの出力の送出、入力、出力若しくはその両方の適切な処理の実行、他のデバイスへの伝達、又はそれらの任意の組み合わせを行うよう機能する任意の適切なデバイスを指しうる。ネットワークインタフェース１０４０は、ネットワークを通じて通信するために、プロトコル変換及びデータ処理能力を含む、適切なハードウェア（例えば、ポート、モデム、ネットワークインタフェースカード等）及びソフトウェアを含みうる。
【００７１】
ネットワークノード８１５の他の実施形態は、上述の機能のいずれか及び／又は（上述のソリューションをサポートするために必要な任意の機能を含む）任意の追加の機能を含む、無線ネットワークノードの機能の特定の態様を提供することに関与しうる、図１２に示されるコンポーネント以外の追加のコンポーネントを含みうる。ある実施形態では、例えば、ネットワークノード８１５は、図３に関して上述した受信方法及び／又は図５に関して上述した送信方法を実行するためのコンポーネントを含みうる。種々の異なるタイプのネットワークノードは、同じ物理ハードウェアを有するが異なる無線アクセス技術をサポートするよう（例えば、プログラミングを介して）構成されたコンポーネントを含みうるか、又は、異なる物理コンポーネントを部分的に若しくは全体的に表しうる。
【００７２】
図１３は、ある実施形態に係る、例示的な無線ネットワーク制御装置又はコアネットワークノード１１００のブロック図である。ネットワークノードの例は、モバイルスイッチングセンター（ＭＳＣ）、サービングＧＰＲＳサポートノード（ＳＧＳＮ）、モビリティ管理エンティティ（ＭＭＥ）、無線ネットワーク制御装置（ＲＮＣ）、基地局制御装置（ＢＳＣ）等を含みうる。無線ネットワーク制御装置又はコアネットワークノード１１００は、プロセッサ１１２０、メモリ１１３０、及びネットワークインタフェース１１４０を備える。いくつかの実施形態において、プロセッサ１１２０は、ネットワークノードによって提供されるものとして上述した機能の一部又は全てを提供するための命令を実行し、メモリ１１３０は、プロセッサ１１２０によって実行される命令を格納し、ネットワークインタフェース１１４０は、ゲートウェイ、スイッチ、ルータ、インターネット、公衆交換電話網（ＰＳＴＮ）、ネットワークノード１１５、無線ネットワーク制御装置又はコアネットワークノード等のような、任意の適切なノードへ信号を伝達する。
【００７３】
プロセッサ１１２０は、無線ネットワーク制御装置又はコアネットワークノードの説明された機能の一部又は全てを実行するために命令の実行及びデータの操作を行う１つ以上のモジュールが実装された、ハードウェア及びソフトウェアの任意の適切な組み合わせを含みうる。いくつかの実施形態において、プロセッサ１１２０は、例えば、１つ以上のコンピュータ、１つ以上の中央処理装置（ＣＰＵ）、１つ以上のマイクロプロセッサ、１つ以上のアプリケーション、及び／又は他のロジックを含みうる。
【００７４】
メモリ１１３０は、一般に、コンピュータプログラム、ソフトウェア、１つ以上のロジック、ルール、アルゴリズム、テーブル等を含むアプリケーション、及び／又はプロセッサによって実行可能な他の命令のような命令を格納するよう動作可能である。メモリ１１３０の例に、コンピュータメモリ（例えば、ランダムアクセスメモリ（ＲＡＭ）又はリードオンリーメモリ（ＲＯＭ））、マスストレージ媒体（例えば、ハードディスク）、取り外し可能記憶媒体（例えば、コンパクトディスク（ＣＤ）又はデジタルビデオディスク（ＤＶＤ）、及び／又は、任意の他の揮発性若しくは不揮発性の、非一時的なコンピュータ読み取り可能な及び／又はコンピュータ実行可能な、情報を格納するメモリデバイスを含む。
【００７５】
いくつかの実施形態において、ネットワークインタフェース１１４０は、プロセッサ１１２０に通信可能に接続され、ネットワークノードに対する入力を受信、ネットワークノードからの出力の送出、入力、出力若しくはその両方の適切な処理の実行、他のデバイスへの伝達、又はそれらの任意の組み合わせを行うよう機能する任意の適切なデバイスを指しうる。ネットワークインタフェース１１４０は、ネットワークを通じて通信するために、プロトコル変換及びデータ処理能力を含む、適切なハードウェア（例えば、ポート、モデム、ネットワークインタフェースカード等）及びソフトウェアを含みうる。
【００７６】
ネットワークノードの他の実施形態は、上述の機能のいずれか及び／又は（上述のソリューションをサポートするために必要な任意の機能を含む）任意の追加の機能を含む、無線ネットワークノードの機能の特定の態様を提供することに関与しうる、図１３に示されるコンポーネント以外の追加のコンポーネントを含みうる。
【００７７】
ある実施形態によれば、ユーザ装置が、セルラネットワークにおける使用のために提供される。ユーザ装置は、送受信機、プロセッサ、及びメモリを備えうる。ユーザ装置は、復調参照信号（ＤＭＲＳ）構成を取得するように構成されうる。ＤＭＲＳ構成からの位相雑音トラッキング参照信号（ＰＮＴ−ＲＳ）へのマッピングが判定される。ＤＭＲＳ構成を用いてチャネル推定が実行される。マッピング及びチャネル推定値を用いて、ＰＮＴ−ＲＳに基づいて位相雑音の推定及び補償が実行される。
【００７８】
ある実施形態によれば、ユーザ装置による方法が、セルラネットワークにおける使用のために提供される。本方法は、復調参照信号（ＤＭＲＳ）構成を取得することを含む。ＤＭＲＳ構成からの位相雑音トラッキング参照信号（ＰＮＴ−ＲＳ）へのマッピングが判定される。ＤＭＲＳ構成を用いてチャネル推定が実行される。マッピング及びチャネル推定値を用いて、ＰＮＴ−ＲＳに基づいて位相雑音の推定及び補償が実行される。
【００７９】
ある実施形態によれば、ユーザ装置が、セルラネットワークにおける使用のために提供される。ユーザ装置は、送受信機、プロセッサ、及びメモリを備える。ユーザ装置は、復調参照信号（ＤＭＲＳ）構成を送出るように構成されうる。ＤＭＲＳ構成は、ＰＮＴ−ＲＳ送信へのマッピングと関連付けられうる。ＰＮＴ−ＲＳは、当該マッピングに従って受信機へ送信される。
【００８０】
ある実施形態によれば、ユーザ装置による方法が、セルラネットワークにおける使用のために提供される。本方法は、復調参照信号（ＤＭＲＳ）構成を送出することを含む。ＤＭＲＳ構成は、ＰＮＴ−ＲＳ送信へのマッピングと関連付けられうる。ＰＮＴ−ＲＳは、当該マッピングに従って受信機へ送信される。
【００８１】
ある実施形態によれば、ネットワークノードが、セルラネットワークにおける使用のために提供される。ネットワークノードは、送受信機、プロセッサ、及びメモリを備える。ネットワークノードは、復調参照信号（ＤＭＲＳ）構成を取得するように構成されうる。ＤＭＲＳ構成からの位相雑音トラッキング参照信号（ＰＮＴ−ＲＳ）へのマッピングが判定される。ＤＭＲＳ構成を用いてチャネル推定が実行される。マッピング及びチャネル推定値を用いて、ＰＮＴ−ＲＳに基づいて位相雑音の推定及び補償が実行される。
【００８２】
ある実施形態によれば、ネットワークノードによる方法が、セルラネットワークにおける使用のために提供される。本方法は、復調参照信号（ＤＭＲＳ）構成を取得することを含む。ＤＭＲＳ構成からの位相雑音トラッキング参照信号（ＰＮＴ−ＲＳ）へのマッピングが判定される。ＤＭＲＳ構成を用いてチャネル推定が実行される。マッピング及びチャネル推定値を用いて、ＰＮＴ−ＲＳに基づいて位相雑音の推定及び補償が実行される。
【００８３】
ある実施形態によれば、ネットワークノードが、セルラネットワークにおける使用のために提供される。ネットワークノードは、送受信機、プロセッサ、及びメモリを備える。ネットワークノードは、復調参照信号（ＤＭＲＳ）構成を送出するように構成されうる。ＤＭＲＳ構成は、ＰＮＴ−ＲＳ送信へのマッピングと関連付けられうる。ＰＮＴ−ＲＳは、当該マッピングに従って受信機へ送信される。
【００８４】
ある実施形態によれば、ネットワークノードによる方法が、セルラネットワークにおける使用のために提供される。本方法は、復調参照信号（ＤＭＲＳ）構成を送出することを含む。ＤＭＲＳ構成は、ＰＮＴ−ＲＳ送信へのマッピングと関連付けられうる。ＰＮＴ−ＲＳは、当該マッピングに従って受信機へ送信される。
【００８５】
ある実施形態によれば、受信機による方法が、セルラネットワークにおける使用のために提供される。本方法は、復調参照信号（ＤＭＲＳ）構成を取得することを含む。ＤＭＲＳ構成からのＰＮＴ−ＲＳ送信へのマッピングが判定される。ＤＭＲＳ構成を用いてチャネル推定が実行される。マッピング及びチャネル推定値を用いて、ＰＮＴ−ＲＳに基づいて位相雑音の推定及び補償が実行される。
【００８６】
ある実施形態によれば、受信機が、セルラネットワークにおける使用のために提供される。受信機は、送受信機、送信機、プロセッサ、及びメモリを備える。受信機は、復調参照信号（ＤＭＲＳ）構成を取得し、ＤＭＲＳ構成からのＰＮＴ−ＲＳ送信へのマッピングを判定するように構成される。ＤＭＲＳ構成を用いてチャネル推定が実行される。マッピング及びチャネル推定値を用いて、ＰＮＴ−ＲＳに基づいて位相雑音の推定及び補償が実行される。
【００８７】
ある実施形態によれば、送信機による方法が提供される。本方法は、送信機によって、復調参照信号（ＤＭＲＳ）構成を送出することを含む。ＤＭＲＳ構成は、ＰＮＴ−ＲＳ送信へのマッピングと関連付けられる。ＰＮＴ−ＲＳは、当該マッピングに従って受信機へ送信される。
【００８８】
ある実施形態によれば、送信機が、セルラネットワークにおける使用のために提供される。送信機は、送受信機、送信機、プロセッサ、及びメモリを備える。送信機は、復調参照信号（ＤＭＲＳ）構成を送出するよう構成され、ＤＭＲＳ構成は、ＰＮＴ−ＲＳ送信へのマッピングと関連付けられている。ＰＮＴ−ＲＳは、当該マッピングに従って受信機へ送信される。
【００８９】
本開示のある実施形態は、１つ以上の技術的効果を提供しうる。例えば、ある実施形態では、上りリンク又は下りリンクにおいてマルチアンテナ受信機を用いるユースケースでは、ＰＮＴ−ＲＳ信号の送信のためのオーバヘッドが低減されうる。例えば、４つ以上の受信アンテナを用いる上りリンク（ＵＬ）又は下りリンク（ＤＬ）マルチユーザ多入力多出力（ＭＵ−ＭＩＭＯ）を考える。４ユーザが多重される場合、４つのサブキャリアが使用されうる。例えば、各ユーザは１つのサブキャリアで送信を行い、他の３つのサブキャリアをブランクにしうる。あるいは、本明細書に記載の方法によれば、１つのサブキャリアのみが使用されうるとともに、ＰＮＴ−ＲＳが、ＤＭＲＳチャネル推定を用いて分離されうる。したがって、ある実施形態の技術的効果には、最大で７５パーセントのオーバヘッドの低減が含まれうる。ある程度の干渉が残り、利得が低くなる場合であっても、オーバヘッドの低減が期待できる。
【００９０】
本開示の範囲を逸脱することなく、本明細書に記載のシステム及び装置に対して修正、追加又は省略が可能である。当該システム及び装置のコンポーネントは、統合されてもよいし分離されてもよい。更に、当該システム及び装置の動作は、より多くのコンポーネント、より少ないコンポーネント、又は他のコンポーネントによって実行されてもよい。また、当該システム及び装置の動作は、ソフトウェア、ハードウェア、及び／又は他のロジックを含む、任意の適切なロジックを用いて実行されてもよい。本書で使用されるように、「各（それぞれ）」は、セットのうちの各部材、又はセットのサブセットのうちの各部材を表す。
【００９１】
本開示の範囲を逸脱することなく、本明細書に記載の方法に対して修正、追加又は省略が可能である。当該方法は、より多くのステップ、より少ないステップ、又は他のステップを含んでもよい。また、任意の適切な順序でステップが実行されてもよい。
【００９２】
本開示はある実施形態に関して説明されているが、実施形態の変更及び置き換えは当業者には明らかである。したがって、実施形態の上記の記載は、本開示を制限しない。以下の請求項によって規定されるとおりの本開示の精神及び範囲を逸脱することなく、他の修正、置換、及び変更が可能である。
【図１】
2019506066.tif 000003
【図２】
2019506066.tif 000004
【図３】
2019506066.tif 000005
【図４】
2019506066.tif 000006
【図５】
2019506066.tif 000007
【図６】
2019506066.tif 000008
【図７】
2019506066.tif 000009
【図８】
2019506066.tif 000010
【図９】
2019506066.tif 000011
【図１０】
2019506066.tif 000012
【図１１】
2019506066.tif 000013
【図１２】
2019506066.tif 000014
【図１３】
2019506066.tif 000015
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
セルラネットワークで使用されるユーザ装置（810）であって、前記ユーザ装置（810）は、送受信機（910）、プロセッサ（920）、及びメモリ（930）を備え、前記ユーザ装置（810）は、
復調参照信号（ＤＭＲＳ）構成を取得し、
前記ＤＭＲＳ構成からの位相雑音トラッキング参照信号（ＰＮＴ−ＲＳ）へのマッピングを判定し、
前記ＤＭＲＳ構成を用いてチャネル推定を実行し、
前記マッピング及び前記チャネル推定を用いて、前記ＰＮＴ−ＲＳに基づいて位相雑音の推定及び補償を実行するように構成される、ユーザ装置。
【請求項２】
請求項１に記載のユーザ装置（810）であって、前記マッピングを判定することは、前記ＰＴＮ−ＲＳを特定のＤＭＲＳポートにマッピングすることを含む、ユーザ装置。
【請求項３】
請求項１又は２に記載のユーザ装置（810）であって、前記位相雑音の推定及び補償は、ＰＮＴ−ＲＳ受信機設定に基づいており、当該設定は前記マッピング及び前記チャネル推定に基づいている、ユーザ装置。
【請求項４】
請求項１から３のいずれか１項に記載のユーザ装置（810）であって、前記ＤＭＲＳ構成は、前記セルラネットワークによって送信されたＤＭＲＳに基づいて取得される、ユーザ装置。
【請求項５】
請求項１から４のいずれか１項に記載のユーザ装置（810）であって、前記チャネル推定は、前記ＤＭＲＳ構成を用いて計算される、ユーザ装置。
【請求項６】
請求項１から５のいずれか１項に記載のユーザ装置（810）であって、前記ＤＭＲＳは、前記ＰＴＮ−ＲＳよりも、サブフレームごとに多くのサブキャリアを占有し、前記ＰＴＮ−ＲＳは、前記ＤＭＲＳよりも、サブフレームごとに多くのＯＦＤＭシンボルを占有する、ユーザ装置。
【請求項７】
請求項１から６のいずれか１項に記載のユーザ装置（810）であって、前記ＤＭＲＳは、複数の他のサブキャリアによって分離された複数のサブキャリアを占有し、前記ＰＴＮ−ＲＳは、複数の連続するＯＦＤＭシンボルを占有する、ユーザ装置。
【請求項８】
請求項７に記載のユーザ装置（810）であって、前記ＤＭＲＳは、隣接するサブキャリアの２つ以上のセットを占有し、隣接するサブキャリアの各セットは、複数の他のサブキャリアによって分離され、前記ＰＴＮ−ＲＳは、前記ＤＭＲＳによって占有されていない複数の連続するＯＦＤＭシンボルを占有する、ユーザ装置。
【請求項９】
請求項１から８のいずれか１項に記載のユーザ装置（810）であって、サブフレーム内のＯＦＤＭシンボルの数は、異なる値に設定可能なパラメータである、ユーザ装置。
【請求項１０】
請求項１から９のいずれか１項に記載のユーザ装置（810）であって、前記参照信号は、物理データチャネル（ＰＤＣＨ）送信に組み込まれる、ユーザ装置。
【請求項１１】
セルラネットワークで使用されるユーザ装置（810）による方法であって、前記方法は、
復調参照信号（ＤＭＲＳ）構成を取得することと、
前記ＤＭＲＳ構成からの位相雑音トラッキング参照信号（ＰＮＴ−ＲＳ）へのマッピングを判定することと、
前記ＤＭＲＳ構成を用いてチャネル推定を実行することと、
前記マッピング及び前記チャネル推定を用いて、前記ＰＮＴ−ＲＳに基づいて位相雑音の推定及び補償を実行することと、を含む方法。
【請求項１２】
セルラネットワークで使用されるネットワークノード（815）であって、前記ネットワークノード（815）は、送受信機（1010）、プロセッサ（1020）、及びメモリ（1030）を備え、前記ネットワークノード（815）は、
復調参照信号（ＤＭＲＳ）構成を取得し、
前記ＤＭＲＳ構成からの位相雑音トラッキング参照信号（ＰＮＴ−ＲＳ）へのマッピングを判定し、
前記ＤＭＲＳ構成を用いてチャネル推定を実行し、
前記マッピング及び前記チャネル推定を用いて、前記ＰＮＴ−ＲＳに基づいて位相雑音の推定及び補償を実行するように構成される、ネットワークノード。
【請求項１３】
請求項１２に記載のネットワークノード（815）であって、前記マッピングを判定することは、前記ＰＴＮ−ＲＳを特定のＤＭＲＳポートにマッピングすることを含む、ネットワークノード。
【請求項１４】
請求項１２又は１３に記載のネットワークノード（815）であって、前記位相雑音の推定及び補償は、ＰＮＴ−ＲＳ受信機設定に基づいており、当該設定は前記マッピング及び前記チャネル推定に基づいている、ネットワークノード。
【請求項１５】
請求項１２から１４のいずれか１項に記載のネットワークノード（815）であって、前記ＤＭＲＳ構成は、前記セルラネットワークによって送信されたＤＭＲＳに基づいて取得される、ネットワークノード。
【請求項１６】
請求項１２から１５のいずれか１項に記載のネットワークノード（815）であって、前記チャネル推定は、前記ＤＭＲＳ構成を用いて計算される、ネットワークノード。
【請求項１７】
請求項１２から１６のいずれか１項に記載のネットワークノード（815）であって、前記ＤＭＲＳは、前記ＰＴＮ−ＲＳよりも、サブフレームごとに多くのサブキャリアを占有し、前記ＰＴＮ−ＲＳは、前記ＤＭＲＳよりも、サブフレームごとに多くのＯＦＤＭシンボルを占有する、ネットワークノード。
【請求項１８】
請求項１２から１７のいずれか１項に記載のネットワークノード（815）であって、前記ＤＭＲＳは、複数の他のサブキャリアによって分離された複数のサブキャリアを占有し、前記ＰＴＮ−ＲＳは、複数の連続するＯＦＤＭシンボルを占有する、ネットワークノード。
【請求項１９】
請求項１８に記載のネットワークノード（815）であって、前記ＤＭＲＳは、隣接するサブキャリアの２つ以上のセットを占有し、隣接するサブキャリアの各セットは、複数の他のサブキャリアによって分離され、前記ＰＴＮ−ＲＳは、前記ＤＭＲＳによって占有されていない複数の連続するＯＦＤＭシンボルを占有する、ネットワークノード。
【請求項２０】
請求項１２から１９のいずれか１項に記載のネットワークノード（815）であって、サブフレーム内のＯＦＤＭシンボルの数は、異なる値に設定可能なパラメータである、ネットワークノード。
【請求項２１】
請求項１２から２０のいずれか１項に記載のネットワークノード（815）であって、前記参照信号は、物理データチャネル（ＰＤＣＨ）送信に組み込まれる、ネットワークノード。
【請求項２２】
セルラネットワークで使用されるネットワークノード（815）による方法であって、前記方法は、
復調参照信号（ＤＭＲＳ）構成を取得することと、
前記ＤＭＲＳ構成からの位相雑音トラッキング参照信号（ＰＮＴ−ＲＳ）へのマッピングを判定することと、
前記ＤＭＲＳ構成を用いてチャネル推定を実行することと、
前記マッピング及び前記チャネル推定を用いて、前記ＰＮＴ−ＲＳに基づいて位相雑音の推定及び補償を実行することと、を含む方法。
【国際調査報告】
2019506066.tif 000016
2019506066.tif 000017